(57)【要約】【課題】液晶パネルの温度上昇を効率よく抑制することができる液晶表示装置及びこれを備えたプロジェクタを提供する。【解決手段】液晶層を介して互いに対向する二つのガラス基板９００Ａ，９００Ｂ及びこれら各ガラス基板の反液晶層側表面にそれぞれ隣接する二つの防塵カバー９０６，９０８を有する液晶パネル４００ｇと、この液晶パネルを内部に収容保持する熱伝導性部材からなる入射・射出側二つの枠体を有するパネル保持枠９０２とを備えた液晶表示装置であって、両防塵カバーのうち射出側の防塵カバー９０６の平面の面積は、両ガラス基板のうち射出側のガラス基板９００Ａの平面の面積より小さい寸法に設定され、両枠体のうち射出側の枠体９０２Ｃには、両ガラス基板のうち射出側のガラス基板９００Ａの射出側表面に当接する受面９０２ｃ１が設けられていることを特徴とする液晶表示装置。【選択図】      図７
2004279700.tif 000002
【特許請求の範囲】
【請求項１】
液晶層を介して互いに対向する二つのガラス基板及びこれら各ガラス基板の反液晶層側表面にそれぞれ隣接する二つの防塵カバーを有する液晶パネルと、
この液晶パネルを内部に収容保持する熱伝導性部材からなる入射・射出側二つの枠体を有するパネル保持枠とを備えた液晶表示装置であって、
前記両防塵カバーのうち射出側の防塵カバーの平面の面積は、前記両ガラス基板のうち射出側のガラス基板の平面の面積より小さい寸法に設定され、
前記両枠体のうち射出側の枠体には、前記両ガラス基板のうち射出側のガラス基板の射出側表面に当接する受面が設けられていることを特徴とする液晶表示装置。
【請求項２】
請求項１に記載の液晶表示装置において、前記両枠体のうち入射側の枠体には、前記両防塵カバーのうち入射側の防塵カバーの入射側表面に当接する受面が設けられていることを特徴とする液晶表示装置。
【請求項３】
請求項１に記載の液晶表示装置において、前記両ガラス基板のうち入射側のガラス基板の平面の面積は、射出側のガラス基板の平面の面積より小さい寸法に設定され、
前記両枠体のうち入射側の枠体には、前記両ガラス基板のうち射出側のガラス基板の入射側表面に当接する受面が設けられていることを特徴とする液晶表示装置。
【請求項４】
請求項１に記載の液晶表示装置において、前記両防塵カバーのうち入射側の防塵カバーの平面の面積は、前記両ガラス基板のうち入射側のガラス基板の平面の面積より小さい寸法に設定され、
前記両枠体のうち入射側の枠体には、前記両ガラス基板のうち入射側のガラス基板の入射側表面に当接する受面が設けられていることを特徴とする液晶表示装置。
【請求項５】
請求項３又は４に記載の液晶表示装置において、前記両防塵カバーのうち入射側の防塵カバーの入射側表面は、前記両枠体のうち入射側の枠体の入射側表面と同一の面上に位置付けられていることを特徴とする液晶表示装置。
【請求項６】
請求項１〜５のいずれかに記載の液晶表示装置において、前記両防塵カバーのうち射出側の防塵カバーの射出側表面は、前記両枠体のうち射出側の枠体の射出側表面と同一の面上に位置付けられていることを特徴とする液晶表示装置。
【請求項７】
照明光を射出する照明装置と、
この照明装置から射出された照明光を複数の色光に分離する色分離光学系と、
この色分離光学系によって分離された各色光をそれぞれ変調して画像を形成する複数の電気光学変調装置と、
これら複数の電気光学変調装置によって形成された画像を合成する色合成光学系と、
この色合成光学系によって合成された画像を投写面上に投写表示する投写光学系とを備えたプロジェクタにおいて、
前記電気光学変調装置は、請求項１〜６のいずれかに記載の液晶表示装置であることを特徴とするプロジェクタ。
【発明の詳細な説明】
【０００１】
【発明の属する技術分野】
本発明は、液晶表示装置及びこれを備えたプロジェクタに関する。
【０００２】
【従来の技術】
図１２（ａ）及び（ｂ）は、従来の液晶表示装置を示す横断面図と縦断面図である。図１３は、従来における液晶表示装置の色合成プリズムへの取付状態を分解して示す斜視図である。
図１２（ａ）及び（ｂ）に示すように、液晶表示装置１０（一の液晶表示装置のみ図示）は、液晶パネル１２及びパネル保持枠１４を備えている。そして、図１３に示すように色合成プリズム１６の複数の光入射側面には金属ピン１８を介して取り付けられている。色合成プリズム１６の光入射側面には射出側偏光板２０が取り付けられている。
【０００３】
液晶パネル１２は、液晶層（図示せず）を介して互いに対向する二つのガラス基板（ＴＦＴ基板２２Ａ，対向基板２２Ｂ）を有している。ガラス基板２２Ａの射出側面には防塵ガラス２４が、ガラス基板２２Ｂの入射側面には防塵ガラス２６がそれぞれ配置されている。また、ガラス基板２２Ａには配線用のフレキシブル基板２８が接続されている。
パネル保持枠１４は、金属材料からなる二つの枠体１４Ａ，１４Ｂを有し、内部に液晶パネル１２を保持するように構成されている。
【０００４】
このような液晶表示装置１０においては、液晶パネル１２が強制対流による空気によって冷却されることに加え、液晶パネル１２で発生した熱が金属ピン１８を介して色合成プリズム側に放熱されるため、液晶パネル１２の冷却効率が高められる（例えば特許文献１）。
【０００５】
【特許文献１】
特開２００２−２２９１２１号公報（図１０）
【０００６】
【発明が解決しようとする課題】
しかし、前記した液晶表示装置においては、入射側のガラス基板２２Ｂの上下・左右側面の一部及び入射側の防塵ガラス２６の前面（入射側面）の一部がパネル保持枠１４に接触する構造であるため、液晶パネル１２とパネル保持枠１４との接触面積として十分な広さを確保することができなかった。
このため、液晶パネル１２からパネル保持枠１４への熱伝導性が悪く、液晶パネルの温度上昇を効率よく抑制することができないという課題があった。
【０００７】
本発明は、このような技術的課題を解決するためになされたもので、ガラス基板から周囲への放熱を効果的に行うことができ、もって液晶パネルの温度上昇を効率よく抑制することができる液晶表示装置及びこれを備えたプロジェクタを提供することを目的とする。
【０００８】
【課題を解決するための手段】
（１）本発明に係る液晶表示装置は、液晶層を介して互いに対向する二つのガラス基板及びこれら各ガラス基板の反液晶層側表面にそれぞれ隣接する二つの防塵カバーを有する液晶パネルと、この液晶パネルを内部に収容保持する熱伝導性部材からなる入射・射出側二つの枠体を有するパネル保持枠とを備えた液晶表示装置であって、前記両防塵カバーのうち射出側の防塵カバーの平面の面積は、前記両ガラス基板のうち射出側のガラス基板の平面の面積より小さい寸法に設定され、前記両枠体のうち射出側の枠体には、前記両ガラス基板のうち射出側のガラス基板の射出側表面に当接する受面が設けられていることを特徴とする。
【０００９】
このため、本発明の液晶表示装置によれば、射出側の枠体の受面と射出側のガラス基板の射出側表面とが面接触し、液晶パネルで発生する熱が射出側のガラス基板の射出側表面から射出側の枠体の受面に熱伝導される。
この場合、射出側の枠体の受面と射出側のガラス基板の射出側表面との接触面積としては、射出側のガラス基板の平面の面積から射出側の防塵カバーの平面の面積を差し引いた広さにすることができる。
したがって、液晶パネルとパネル保持枠との接触面積として十分な広さが確保されるため、射出側のガラス基板からパネル保持枠への熱伝導性を良好なものとすることができる。
これにより、射出側のガラス基板からパネル保持枠への放熱を効果的に行うことができ、液晶パネルの温度上昇を効率よく抑制することができる。
【００１０】
（２）前記（１）に記載の液晶表示装置において、前記両枠体のうち入射側の枠体には、前記両防塵カバーのうち入射側の防塵カバーの入射側表面に当接する受面が設けられていることが好ましい。この場合、入射側の防塵カバーの平面の面積は、入射側の防塵カバーの入射側表面が入射側の枠体の受面に当接するものであれば、入射・射出側のガラス基板及び射出側の防塵カバーの各平面の面積より大きいサイズとしても、また小さいサイズとしても差し支えない。
このように構成することにより、入射側の防塵カバーの入射側表面と入射側の枠体の受面とが面接触し、入射側の防塵カバーからパネル保持枠への放熱を効果的に行うことができ、液晶パネルの温度上昇を効率よく抑制することができる。
【００１１】
（３）前記（１）に記載の液晶表示装置において、前記両ガラス基板のうち入射側のガラス基板の平面の面積は、射出側のガラス基板の平面の面積より小さい寸法に設定され、前記両枠体のうち入射側の枠体には、前記両ガラス基板のうち射出側のガラス基板の入射側表面に当接する受面が設けられていることが好ましい。この場合、入射側の枠体の受面と射出側のガラス基板の入射側表面との接触面積としては、射出側のガラス基板の平面の面積から入射側のガラス基板の平面の面積を差し引いた広さにすることができる。
このように構成することにより、射出側のガラス基板の入射側表面と入射側の枠体の受面とが面接触し、射出側のガラス基板からパネル保持枠への放熱を効果的に行うことができ、液晶パネルの温度上昇を効率よく抑制することができる。
【００１２】
（４）前記（１）に記載の液晶表示装置において、前記両防塵カバーのうち入射側の防塵カバーの平面の面積は、前記両ガラス基板のうち入射側のガラス基板の平面の面積より小さい寸法に設定され、前記両枠体のうち入射側の枠体には、前記両ガラス基板のうち入射側のガラス基板の入射側表面に当接する受面が設けられていることが好ましい。この場合、入射側の枠体の受面と入射側のガラス基板の入射側表面との接触面積としては、入射側のガラス基板の平面の面積から入射側の防塵カバーの平面の面積を差し引いた広さにすることができる。
このように構成することにより、入射側のガラス基板の入射側表面と入射側の枠体の受面とが面接触し、入射側のガラス基板からパネル保持枠への放熱を効果的に行うことができ、液晶パネルの温度上昇を効率よく抑制することができる。
【００１３】
（５）前記（３）又は（４）に記載の液晶表示装置において、前記両防塵カバーのうち入射側の防塵カバーの入射側表面は、前記両枠体のうち入射側の枠体の入射側表面と同一の面上に位置付けられていることが好ましい。
このように構成することにより、入射側の防塵カバーにおいては、強制対流による冷却風を受け易くなり、その入射側表面からの熱放散が効果的に行われる。
【００１４】
（６）前記（１）〜（５）のいずれかに記載の液晶表示装置において、前記両防塵カバーのうち射出側の防塵カバーの射出側表面は、前記両枠体のうち射出側の枠体の射出側表面と同一の面上に位置付けられていることが好ましい。
このように構成されているため、射出側の防塵カバーにおいては、強制対流による冷却風を受け易くなり、その射出側表面からの熱放散が効果的に行われる。
【００１５】
（７）本発明に係るプロジェクタは、照明光を射出する照明装置と、この照明装置から射出された照明光を複数の色光に分離する色分離光学系と、この色分離光学系によって分離された各色光をそれぞれ変調して画像を形成する複数の電気光学変調装置と、これら複数の電気光学変調装置によって形成された画像を合成する色合成光学系と、この色合成光学系によって合成された画像を投写面上に投写表示する投写光学系とを備えたプロジェクタにおいて、前記電気光学変調装置は、前記（１）〜（６）のいずれかに記載の液晶表示装置であることを特徴とする。
このため、本発明のプロジェクタは、上記した（１）の液晶表示装置を備えているため、液晶パネルの温度上昇を効率よく抑制することができる。その結果、さらなる高輝度化が可能で、冷却ファンの音も小さくできる優れたプロジェクタとなる。
【００１６】
【発明の実施の形態】
以下、本発明が適用された液晶表示装置及びこれを備えたプロジェクタにつき、図に示す実施の形態に基づいて説明する。先ず、本発明の実施形態１につき、図１〜図７を用いて説明する。
［実施形態１］
図１は、本発明の実施形態１に係る液晶表示装置を備えたプロジェクタの外観を示す斜視図である。図２は、図１のプロジェクタにおける光学系の概略構成を説明するために示す平面図である。図３は、本発明の実施形態１に係る液晶表示装置の色合成プリズムへの取付状態を示す斜視図である。図４は、本発明の実施形態１に係る液晶表示装置の色合成プリズムへの取付状態を分解して示す斜視図である。図５は、本発明の実施形態１に係る液晶表示装置を入射側から見た状態を分解して示す斜視図である。図６は、本発明の実施形態１に係る液晶表示装置を射出側から見た状態を分解して示す斜視図である。図７（ａ）及び（ｂ）は、本発明の実施形態１に係る液晶表示装置を示す横断面図と縦断面図である。
【００１７】
図１において、符号１で示すプロジェクタは、装置前方に突出する投写レンズ６００を有する光学系４（図２に図示）を備えている。光学系４は、投写レンズ６００を除き、外装ケース３に内蔵されている。外装ケース３は、アッパーケース３Ａ及びロアケース３Ｂからなる略角形状の箱体によって形成されている。
【００１８】
光学系４は、図２に示すように、投写レンズ６００に加え、照明光学系１００と色分離光学系２００とリレー光学系３００と３つの液晶表示装置４００Ｒ，４００Ｇ，４００Ｂと色合成光学系５００とから大略構成されている。各光学系の構成要素は、色合成光学系５００を中心に略水平方向に配置されている。
【００１９】
照明光学系１００は、光源装置１１０と第１のレンズアレイ１２０と第２のレンズアレイ１３０と偏光変換素子１４０と重畳レンズ１５０とを備えている。
光源装置１１０は、光源ランプ（図示せず）及びリフレクタ１１０Ｂを有している。光源ランプには例えば高圧水銀ランプが用いられている。リフレクタ１１０Ｂには放物面鏡が用いられている。これにより、光源ランプから射出された放射光がリフレクタ１１０Ｂによって一方向に反射され、光軸ＯＣに略平行な光となって第１のレンズアレイ１２０に入射される。
【００２０】
光源ランプとしては、メタルハライドランプやハロゲンランプ等の他の光源ランプを用いてもよい。
また、リフレクタ１１０Ｂとしては、楕円面鏡や球面鏡を用いるようにしてもよい。この場合、光源装置１１０から射出される光が第１のレンズアレイ１２０に効率よく入射するように、光源装置１１０と第１のレンズアレイ１２０との間にレンズ等を配置することが好ましい。
【００２１】
第１のレンズアレイ１２０は、複数の小レンズをマトリックス状に配列して形成されている。そして、光源装置１１０からの光を複数の部分光束に分割するとともに、これら各部分光束を集光させるように構成されている。
第２のレンズアレイ１３０は、第１のレンズアレイ１２０の小レンズに対応するように配列された複数の小レンズを有している。そして、第１のレンズアレイ１２０から射出された各部分光束の中心軸をシステム光軸に平行に揃えるように構成されている。
【００２２】
偏光変換素子１４０は、非偏光な光を３つの液晶表示装置４００Ｒ，４００Ｇ，４００Ｂで利用可能な偏光方向を有する偏光光に揃えるように構成されている。
重畳レンズ１５０は、第２のレンズアレイ１３０（及び偏光変換素子１４０）を射出した光を所定の被照明領域（液晶表示装置４００Ｒ，４００Ｇ，４００Ｂの画像形成領域）に重畳させるように構成されている。このため、第１のレンズアレイ１２０及び第２のレンズアレイ１３０の作用と相俟って液晶表示装置４００Ｒ，４００Ｇ，４００Ｂの画像形成領域をほぼ均一に照明することができる。
【００２３】
色分離光学系２００は、第１のダイクロイックミラー２１０と第２のダイクロイックミラー２２０と反射ミラー２３０とを有している。そして、照明光学系１００から射出される照明光をそれぞれ異なる波長域の３色の照明光に分離するように構成されている。
【００２４】
第１のダイクロイックミラー２１０は、略赤色の光（以下、「Ｒ光」という。）を直角に反射して反射ミラー２３０に向かって進行させ、略青色の光（以下、「Ｂ光」という。）及び略緑色の光（以下、「Ｇ光」という。）を透過させて第２のダイクロイックミラー２２０に向かって進行させるように構成されている。第２のダイクロイックミラー２２０は、Ｇ光を直角に反射して射出部２００ｇから色合成光学系５００に向かって射出し、またＢ光を透過させて射出部２００ｂからリレー光学系３００に向かって射出するように構成されている。
反射ミラー２３０は、Ｒ光を直角に反射して射出部２００ｒから色合成光学系５００に向かって射出するように構成されている。
【００２５】
色分離光学系２００におけるＲ光の射出部２００ｒ及びＧ光の射出部２００ｇの射出側（液晶表示装置側）には、それぞれフィールドレンズ２４０Ｒ，２５０Ｇが配置されている。これにより、各射出部２００ｒ，２００ｇから射出したＲ，Ｇ光が液晶表示装置４００Ｒ，４００Ｇの液晶パネルを照明する。通常、照明光学系１００からの各部分光束が略平行な光束となるように設定されている。
【００２６】
リレー光学系３００は、入射側リレーレンズ３１０と入射側反射ミラー３２０とリレーレンズ３３０と射出側反射ミラー３４０とフィールドレンズ３５０とを有している。そして、色分離光学系２００における射出部２００ｂから射出したＢ光が各リレーレンズ３１０，３３０，３５０において透過（各反射ミラー３２０，３４０においては反射）し、リレー光学系３００におけるＢ光の射出部３００ｂから色合成光学系５００に向かって射出されるように構成されている。これにより、射出部３００ｂから射出したＢ光が液晶表示装置４００Ｂの液晶パネルを照明する。これにより、光路長が最大であるＢ光の光量損失が抑制される。
フィールドレンズ３５０に入射する光束の大きさは、第１のリレーレンズ３１０に入射する光束の大きさと略等しくなるように設定されている。
なお、本実施形態では、リレー光学系３００を通過する色の照明光がＢ光である場合について説明したが、Ｂ光に代えてＲ光等の他の色光であってもよい。
【００２７】
液晶表示装置４００Ｒ，４００Ｇ，４００Ｂは、例えば透過型の三つの液晶表示装置からなり、ＲＧＢの各色光に対応させて色合成光学系５００の入射側に配置されている。そして、色分離光学系２００（Ｂ光の場合はリレー光学系３００）から射出した各色光を変調し、各色光に対応した画像情報を付加するように構成されている。すなわち、液晶表示装置４００Ｒ，４００Ｇ，４００Ｂ（後述の液晶パネル）は、ドライバ（図示せず）によって画像情報に応じたスイッチング制御が行われる。これにより、各液晶表示装置４００Ｒ，４００Ｇ，４００Ｂを通過する各色光が変調される。
【００２８】
液晶表示装置４００Ｒ，４００Ｇ，４００Ｂは、ほぼ同一の構成であるため、液晶表示装置４００Ｒ，４００Ｂの構成についての説明は省略し、液晶表示装置４００Ｇの構成についてのみ説明すると、液晶表示装置４００Ｇは、図４〜図７に示すように液晶パネル４００ｇ及び金属枠９０２から大略構成されている。そして、図３に示すように色合成光学系５００の光入射側に配置されている。
【００２９】
なお、液晶表示装置４００Ｇを構成する各部材が液晶表示装置４００Ｒ，４００Ｂにも同様に含まれ、また液晶表示装置４００Ｇの入射側及び射出側に配置される偏光板等の構成部材が液晶表示装置４００Ｒ，４００Ｂの入射側及び射出側にも同様に配置されるため、これら構成部材については同一又は同等（Ｒ，Ｇ，Ｂの違い）の符号を付けて説明する。
【００３０】
液晶パネル４００ｇは、液晶層（図示せず）を介して互いに対向する二つのガラス基板９００Ａ，９００Ｂを備え、金属枠９０２内に収容保持され、かつ配線用のフレキシブル基板４００ｇ１に接続されている。ガラス基板９００Ａは、液晶層側に規則的に配列された多数の画素電極と、これら画素電極に対して画像信号に応じた電圧を印加するための薄膜トランジスタ（ＴＦＴ）からなるスイッチング素子（共に図示せず）とを有し、全体が平面矩形状を有している。ガラス基板９００Ａの射出側には、透明ガラスからなる防塵カバー９０６が貼付されている。
【００３１】
防塵カバー９０６の平面の面積は、図７（ａ）及び（ｂ）に示すように、ガラス基板９００Ａの平面の面積より小さいサイズに設定されている。そして、防塵カバー９０６の射出側表面は、金属枠９０２の第２の枠体及び第３の枠体（共に後述）の射出側表面と同一の面上に位置付けられている。これにより、防塵カバー９０６においては、強制対流による冷却風を受け易くなり、その射出側表面からの熱放散が効果的に行われる。
【００３２】
ガラス基板９００Ｂは、ガラス基板９００Ａの画素電極に対向する対向電極（図示せず）を有し、全体がガラス基板９００Ａより若干小さい平面の面積（防塵カバー９０６の平面の面積と略同一の面積）をもつ平面矩形状を有している。ガラス基板９００Ｂの入射側には、透明ガラスからなる防塵カバー９０８が貼付されている。防塵カバー９０８の平面の面積は、ガラス基板９００Ｂの平面の面積と略同一のサイズに設定されている。
【００３３】
金属枠（パネル保持枠）９０２は、第１の枠体（入射側の枠体）９０２Ａ，第２の枠体（射出側の枠体）９０２Ｂ及び第３の枠体（射出側の枠体）９０２Ｃを有している。
第１の枠体９０２Ａは、図７（ａ）及び（ｂ）に示すように、ガラス基板９００Ａ，９００Ｂ及び防塵カバー９０８を収容可能な射出側の空間部９０２ａを有し、全体が略四角形状の段状枠によって形成されている。第１の枠体９０２Ａの下方端縁には、図６に示すように、射出側に突出し、かつ左右方向に互いに並列する二つの係合ピン９０２Ａ７，９０２Ａ８が一体に設けられている。
【００３４】
第１の枠体９０２Ａの角部には、図４〜図６に示すように、ガラス基板９００Ａ，９００Ｂの並列方向（第１の枠体の厚さ方向）に開口するピン挿通孔９０２Ａ１〜９０２Ａ４が設けられている。ピン挿通孔９０２Ａ１〜９０２Ａ４には断熱ピン９３８が挿通して固定されている。第１の枠体９０２Ａの両側部には、水平方向に突出する係合突起９０２Ａ５，９０２Ａ６が設けられている。第１の枠体９０２Ａの入射側には偏光板９１８Ｇ（図２に図示）が配置されている。第１の枠体９０２Ａの入射側開口部内には、図７（ａ）及び（ｂ）に示すように、防塵カバー９０８の入射側表面一部に当接する受面９５０Ａを有する内フランジ９５０が一体に設けられている。これにより、防塵カバー９０８の入射側表面と第１の枠体９０２Ａ（内フランジ９５０）の受面９５０Ａとが面接触する。
【００３５】
断熱ピン９３８は、図４に示すように、液晶パネル側に突出する４本の段付（鍔部）きピンからなり、色合成光学系５００の光入射側面に熱伝導板９２６を介して取り付けられている。断熱ピン９３８の途中部には、熱伝導板９２６に所定の間隔をもって対向する金属枠９０２が固定されている。これにより、熱伝導板９２６及び金属枠９０２が断熱ピン９３８によって連結されている。このため、液晶パネル４００ｇと熱伝導板９２６との間を熱移動することはない。
【００３６】
熱伝導板９２６は、図３に示すように、色合成光学系５００の光入射側に配置され、かつ、熱伝導ブロック９２８及び色合成プリズム固定板（図示せず）上に熱伝導ゴム部材９３２を介して連結されている。これにより、偏光板９２０Ｇで吸収された熱が熱伝導板９２６に熱伝導されると、この熱伝導板９２６から熱伝導ゴム部材９３２を介して熱伝導ブロック９２８及び色合成プリズム固定板に熱伝導される。この場合、熱伝導ブロック９２８が外装ケース３（図１に図示）に連接されていると、偏光板９２０Ｇで吸収された熱が熱伝導板９２６から熱伝導ゴム部材９３２及び熱伝導ブロック９２８を介して外装ケース３に熱伝導され、この外装ケース３からケース外に放散される。
【００３７】
第２の枠体９０２Ｂは、第１の枠体９０２Ａの射出側に係脱自在に装着され、第１の枠体９０２Ａに第３の枠体９０２Ｃを圧接するように構成されている。第２の枠体９０２Ｂの両側部には、第１の枠体９０２Ａの係合突起９０２Ａ５，９０２Ａ６に係合可能な係合孔９０２ｂ１，９０２ｂ２を有する弾性変形可能なフック９０２Ｂ１，９０２Ｂ２が設けられている。第２の枠体９０２Ｂの射出側には、図４に示すように、偏光板（射出側偏光板）９２０Ｇを貼付する熱伝導板９２６が配置されている。
【００３８】
第３の枠体（中間枠）９０２Ｃは、防塵カバー９０６の周囲に配置され、かつ第１の枠体９０２Ａの射出側面と第２の枠体９０２Ｂの入射側面との間に介装されている。第３の枠体９０２Ｃには、図４〜図６に示すように、各係合ピン９０２Ａ７，９０２Ａ８に係合可能なピン係合孔９０２Ｃ１，９０２Ｃ２が設けられている。
【００３９】
第３の枠体９０２Ｃの入射側には、ガラス基板９００Ａの射出側表面に当接する受面９０２ｃ１が設けられている。このため、防塵カバー９０６の平面の面積は、前記したようにガラス基板９００Ａの平面の面積より小さい寸法に設定されている。この場合、第３の枠体９０２Ｃの受面９０２ｃ１とガラス基板９００Ａの入射側表面との接触面積としては、ガラス基板９００Ａの平面の面積から防塵カバー９０６の平面の面積を差し引いた広さとすることができる。これにより、第３の枠体９０２Ｃの受面９０２ｃ１とガラス基板９００Ａの射出側表面とが面接触する。第３の枠体９０２Ｃの射出側には、図７（ａ）及び（ｂ）に示すように、第２の枠体９０２Ｂに一部に嵌合する凹部９０２ｃ２が設けられている。これにより、第３の枠体９０２Ｃの射出側表面と第２の枠体９０２Ｂの射出側表面とが同一の面上に位置付けられる。
【００４０】
色合成光学系５００は、ダイクロイックプリズム等の色合成プリズムからなり、各液晶表示装置４００Ｒ，４００Ｇ，４００Ｂの射出側に配置され、かつ熱伝導ブロック９２８と色合成プリズム固定板との間に介装されている。そして、液晶表示装置４００Ｒ，４００Ｇ，４００Ｂによって変調された各色光を入射させて合成し得るように構成されている。色合成光学系５００の入射側には、熱伝導板９２６がＲ，Ｇ，Ｂ光に対応させて配置されている。また、色合成光学系５００の射出側には、熱伝導板９２６に熱伝導ゴム部材９３２を介して熱伝導可能な射出側熱伝導板９４２が配置されている。
【００４１】
投写レンズ６００は、色合成光学系５００の射出側に配置されている。そして、色合成光学系５００によって合成された画像を投写面としてのスクリーン（図示せず）上に投写画像として拡大表示するように構成されている。
【００４２】
以上の構成により、実施形態１に係るプロジェクタは、第３の枠体９０２Ｃの受面９０２ｃ１と射出側のガラス基板９００Ａの射出側表面とが面接触し、液晶パネル４００ｒ，４００ｇ，４００ｂで発生する熱が射出側のガラス基板９００Ａの射出側表面から第３の枠体９０２Ｃの受面９０２ｃ１に熱伝導される。
この場合、防塵カバー９０６の平面の面積がガラス基板９００Ａの平面の面積より小さい寸法に設定されているため、第３の枠体９００Ｃの受面９００ｃ１と射出側のガラス基板９００Ａの射出側表面との接触面積としては、射出側のガラス基板９００Ａの平面の面積から射出側の防塵カバー９０６の平面の面積を差し引いた広さにすることができる。
【００４３】
したがって、本実施形態においては、液晶パネル４００ｒ，４００ｇ，４００ｂと金属枠９０２（パネル保持枠）との接触面積として十分な広さが確保されるため、射出側のガラス基板９００Ａから金属枠９０２への熱伝導性を良好なものとすることができる。
これにより、射出側のガラス基板９００Ａから金属枠９０２（パネル保持枠）への放熱を効果的に行うことができ、液晶パネルの温度上昇を効率よく抑制することができる。
【００４４】
また、本実施形態においては、防塵カバー９０６の射出側表面と第２の枠体９０２Ｂ及び第３の枠体９０２Ｃの射出側表面と同一の面上に位置付けられているため、防塵カバー９０６では強制対流による冷却風を受け易くなり、防塵カバー９０６の射出側表面からの熱放散が効果的に行われる液晶表示装置４００Ｒ，４００Ｇ，４００Ｂを得ることができる。
【００４５】
なお、本実施形態における防塵カバー９０８の平面の面積は、ガラス基板９００Ａの平面の面積より小さく、ガラス基板９００Ｂ及び防塵カバー９０６の平面の面積と略同一のサイズに設定されている場合について説明したが、本発明はこれに限定されず、防塵カバー９０８の入射側表面が第１の枠体９０２Ａ（内フランジ９０５）の受面９５０Ａに当接するものであれば、ガラス基板９００Ａ，９００Ｂ及び防塵カバー９０６の各平面の面積より大きいサイズとしても、また小さいサイズとしても差し支えない。
【００４６】
次に、本発明の実施形態２につき、図８〜図１０（ａ），（ｂ）を用いて説明する。
［実施形態２］
図８は、本発明の実施形態２に係る液晶表示装置を入射出側から見た状態を分解して示す斜視図である。図９は、本発明の実施形態２に係る液晶表示装置を射出側から見た状態を分解して示す斜視図である。図１０（ａ）及び（ｂ）は、本発明の実施形態２に係る液晶表示装置を示す縦断面図と横断面図である。図８〜図１０において、図５〜図７と同一又は同等の部材については同一の符号を付し、詳細な説明は省略する。
【００４７】
図８〜図１０に示すように、本実施形態に示す液晶表示装置４００Ｇ（液晶表示装置４００Ｒ，４００Ｂ）は、第１の枠体９０２Ａにガラス基板９００Ａの入射側表面に当接する受面（段状面）９０２Ａ９が設けられている点に特徴がある。
このため、入射側のガラス基板９００Ｂの平面の面積は、射出側のガラス基板９００Ａの平面の面積より小さい寸法に設定されている。この場合、第１の枠体９０２Ａの受面９０２Ａ９とガラス基板９００Ａの入射側表面との接触面積としては、ガラス基板９００Ａの平面の面積からガラス基板９００Ｂの平面の面積を差し引いた広さとすることができる。
また、第３の枠体９０２Ｃの入射側には、ガラス基板９００Ａの射出側表面に当接する受面９０２ｃ１が設けられている。
【００４８】
したがって、本実施形態においては、実施形態１と同様に、射出側のガラス基板９００Ａから金属枠９０２への放熱を効果的に行うことができ、液晶パネルの温度上昇を効率よく抑制することができる。
【００４９】
また、本実施形態においては、防塵カバー９０８の入射側表面が第１の枠体９０２Ａの入射側表面と同一の面上に位置付けられ、かつ防塵カバー９０６の射出側表面と第２の枠体９０２Ｂ及び第３の枠体９０２Ｃの射出側表面と同一の面上に位置付けられているため、防塵カバー９０６，９０８では強制対流による冷却風を受け易くなり、防塵カバー９０８の入射側表面及び防塵カバー９０６の射出側表面からの熱放散が効果的に行われる液晶表示装置４００Ｒ，４００Ｇ，４００Ｂを得ることができる。
【００５０】
次に、本発明の実施形態３につき、図１１（ａ）及び（ｂ）を用いて説明する。
［実施形態３］
図１１（ａ）及び（ｂ）は、本発明の実施形態３に係る液晶表示装置を示す縦断面図と横断面図である。図１１（ａ）及び（ｂ）において、図１０（ａ）及び（ｂ）と同一又は同等の部材については同一の符号を付し、詳細な説明は省略する。
【００５１】
図１１（ａ）及び（ｂ）に示すように、本実施形態に示す液晶表示装置４００Ｇ（液晶表示装置４００Ｒ，４００Ｂ）は、第１の枠体９０２Ａにガラス基板９００Ｂの入射側表面に当接する受面（段状面）９０２Ａ１０が設けられている点に特徴がある。
このため、入射側の防塵カバー９０８の平面の面積は、入射側のガラス基板９００Ｂの平面の面積より小さい寸法に設定されている。この場合、第１の枠体９０２Ａの受面９０２Ａ１０とガラス基板９００Ｂの入射側表面との接触面積としては、ガラス基板９００Ｂの平面の面積から防塵カバー９０８の平面の面積を差し引いた広さにすることができる。
また、第３の枠体９０２Ｃの入射側には、ガラス基板９００Ａの射出側表面に当接する受面９０２ｃ１が設けられている。
【００５２】
したがって、本実施形態においては、実施形態１及び実施形態２と同様に、射出側のガラス基板９００Ａから金属枠９０２への放熱を効果的に行うことができ、液晶パネルの温度上昇を効率よく抑制することができる。
【００５３】
また、本実施形態においては、防塵カバー９０８の入射側表面が第１の枠体９０２Ａの入射側表面と同一の面上に位置付けられ、かつ防塵カバー９０６の射出側表面と第２の枠体９０２Ｂ及び第３の枠体９０２Ｃの射出側表面と同一の面上に位置付けられているため、防塵カバー９０６，９０８では強制対流による冷却風を受け易くなり、防塵カバー９０８の入射側表面及び防塵カバー９０６の射出側表面からの熱放散が効果的に行われる液晶表示装置４００Ｒ，４００Ｇ，４００Ｂを得ることができる。
【図面の簡単な説明】
【図１】実施形態１のプロジェクタの外観を示す斜視図。
【図２】光学系の概略構成を説明するために示す平面図。
【図３】実施形態１の液晶表示装置の取付状態を示す斜視図。
【図４】実施形態１の液晶表示装置の取付状態を示す分解斜視図。
【図５】実施形態１の液晶表示装置を入射側から見た分解斜視図。
【図６】実施形態１の液晶表示装置を射出側から見た分解斜視図。
【図７】（ａ），（ｂ）は、実施形態１の液晶表示装置を示す断面図。
【図８】実施形態２の液晶表示装置を入射側から見た分解斜視図。
【図９】実施形態２の液晶表示装置を射出側から見た分解斜視図。
【図１０】（ａ），（ｂ）は、実施形態２の液晶表示装置を示す断面図。
【図１１】（ａ），（ｂ）は、実施形態３の液晶表示装置を示す断面図。
【図１２】（ａ），（ｂ）は、従来の液晶表示装置を示す断面図。
【図１３】従来の液晶表示装置の取付状態を示す分解斜視図。
【符号の説明】
１  プロジェクタ、４  光学系、１００  照明光学系、２００  色分離光学系、３００  リレー光学系、４００Ｒ  赤色光用の液晶表示装置、４００Ｇ  緑色光用の液晶表示装置、４００Ｂ  青色光の液晶表示装置、４００ｇ１  フレキシブル基板、５００  色合成光学系、６００  投写レンズ、９００Ａ  ガラス基板（ＴＦＴ基板）、９００Ｂ  ガラス基板（対向基板）、９０２  金属枠、９０２Ａ  第１の枠体、９０２Ａ１〜９０２Ａ４  ピン挿通孔、９０２Ａ５  左側の係合突起、９０２Ａ６  右側の係合突起、９０２ａ  空間部、９０２Ｂ  第２の枠体、９０２Ｂ１  左側のフック、９０２ｂ１  左側の係合孔、９０２Ｂ２  右側のフック、９０２Ｂ２  右側の係合孔、９０２Ｃ  第３の枠体、９０２ｃ１  受面、９０２ｃ２  凹部、９０６  射出側の防塵カバー、９０８  入射側の防塵カバー、９１８Ｒ、９１８Ｇ、９１８Ｂ  入射側の偏光板、９２０Ｒ，９２０Ｒ，９２０Ｂ  射出側の偏光板、９２４  熱伝導ゴム部材、９２６  熱伝導板、９２８  熱伝導ブロック、９３２  熱伝導ゴム部材、９３８  断熱ピン、９４０  熱伝導性部材、９４２  射出側熱伝導板
【図１】
2004279700.tif 000003
【図２】
2004279700.tif 000004
【図３】
2004279700.tif 000005
【図４】
2004279700.tif 000006
【図５】
2004279700.tif 000007
【図６】
2004279700.tif 000008
【図７】
2004279700.tif 000009
【図８】
2004279700.tif 000010
【図９】
2004279700.tif 000011
【図１０】
2004279700.tif 000012
【図１１】
2004279700.tif 000013
【図１２】
2004279700.tif 000014
【図１３】
2004279700.tif 000015